【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
少なくとも一つの第一の電気化学セル（１０２，２０２，…）と、少なくとも一つの第二の電気化学セル（１０２，２０２，…）と、を含むバッテリー構造体（１０１，２０１，…）を製造するための方法であって、
それぞれの電気化学セルがジャケット（１０３，２０３，…）を有しており、  前記第一の電気化学セル（１０２，２０２，…）の前記ジャケット（１０３，２０３，…）のジャケット部分（１０４，１０５，１１２；２０４，２０５，２１２；…）は、前記第二の電気化学セル（１０２，２０２，…）の前記ジャケット（１０３，２０３，…）のジャケット部分（１０４，１０５，１１２；２０４，２０５，２１２；…）と材料接続的に接合され、
前記ジャケット部分（１０４，１０５，１１２；２０４，２０５，２１２；…）のうちの少なくとも一つは、シール可能な材料、特に熱可塑性プラスチックから成る層を有する積層型パッケージフィルムから製造されており、シール可能な材料から成る前記層は、前記材料接続的な接合を生じさせるために用いられることを特徴とする方法。
【請求項２】
少なくとも一つのジャケット部分（１０４，１０５，１１２；２０４，２０５，２１２；…）のシール可能な材料から成る前記層のみが、前記ジャケット部分（１０４，１０５，１１２；２０４，２０５，２１２；…）同士の前記材料接続的な接合を生じさせるために用いられることを特徴とする請求項１に記載の方法。
【請求項３】
前記材料接続的な接合はヒートシーリング、ホットプレス、または接着、特に熱接着によって行われることを特徴とする請求項１または２に記載の方法。
【請求項４】
前記第一の電気化学セル（１０２，２０２，…）の接合部分（１０８，２０８，…）は前記第二の電気化学セル（１０２，２０２，…）の接合部分（１０８，２０８，…）に当接され、当該接合部分（１０８，２０８，…）は前記個々の電気化学セル（１０２，２０２，…）のジャケット部分（１０４，１０５，１１２；２０４，２０５，２１２；…）に設けられていることを特徴とする請求項１〜３のいずれか一項に記載の方法。
【請求項５】
前記ジャケット（１０３，２０３，…）は第一のジャケット部分（１０４，１０５，１１２；２０４，２０５，２１２；…）を少なくとも一つの第二のジャケット部分（１０４，１０５，１１２；２０４，２０５，２１２；…）に接合することによって形成されることを特徴とする請求項１〜４のいずれか一項に記載の方法。
【請求項６】
前記第一の電気化学セル（１０２，３０２，４０２）の前記第一のジャケット部分（１０４；３０４，３０５；４０４，４１２）は、当該第一の電気化学セル（１０２，３０２，４０２）の当該第一のジャケット部分（１０４；３０４，３０５；４０４，４１２）が、当該第一の電気化学セル（１０２，３０２，４０２）の第二のジャケット部分（１０４；３０４，３０５；４０４，４１２）に接合される前に、前記第二の電気化学セル（１０２，３０２，４０２）の前記ジャケット部分（１０４；３０４，３０５；４０４，４１２）のうちの一つに接合されることを特徴とする請求項５に記載の方法。
【請求項７】
前記第一の電気化学セル（１０２，３０２，４０２）のジャケット部分（１０４，３０４，３０５；４０４，４１２）が前記第二の電気化学セル（１０２，３０２，４０２）のジャケット部分（１０４，３０４，３０５；４０４，４１２）に接合された後に、電極スタック（１１４，３１４，４１４）がジャケット部分（１０４；３０４，３０５；４０４，４１２）に当接されることを特徴とする請求項１〜６のいずれか一項に記載の方法。
【請求項８】
ジャケット部分（３０４，３０５；４０４，４１２）、特に成型部材（３０４，４０４）は、特に隣接して設けられている二つの電気化学セル（１０２，３０２，４０２）を少なくとも部分的に包囲するためのジャケット部分として用いられることを特徴とする請求項１〜７のいずれか一項に記載の方法。
【請求項９】
前記ジャケット部分（１０４，２０４，…）のうちの少なくとも一つは成型部材（１０４，２０４，…）であることを特徴とする請求項１〜８のいずれか一項に記載の方法。
【請求項１０】
前記ジャケット部分（１０４，２０４，…）のうちの少なくとも一つは熱伝導プレート（３０５）であることを特徴とする請求項１〜９のいずれか一項に記載の方法。
【請求項１１】
前記ジャケット部分（１０４，２０４，…）のうちの少なくとも一つはフレーム（４１２，５１２）またはフレーム部分であることを特徴とする請求項１〜１０のいずれか一項に記載の方法。
【請求項１２】
ジャケット（１０３，２０３，…）によって少なくとも部分的に包囲されている少なくとも一つの電極スタック（１０９，２０９，…）を含む電気化学セル（１０２，２０２，…）であって、
当該ジャケット（１０３，２０３，…）は、平面部分（１１０，２１０，…）と継ぎ目部分（１０７，２０７，…）とを有する少なくとも一つの成型部材（１０４，２０４，…）を含んでおり、
当該継ぎ目部分（１０７，２０７，…）は、前記平面部分（１１０，２１０，…）の周囲に設けられており、
前記成型部材（１０４，２０４，…）に接合部分（１０８，２０８，…）が設けられており、
少なくとも一つの成型部材（１０４，２０４，…）は、シール可能な材料、特に熱可塑性プラスチックから成る層を有する積層型パッケージフィルムから製造されていることを特徴とする電気化学セル（１０２，２０２，…）。
【請求項１３】
前記成型部材（１０４，２０４，…）は積層型成型部材であることを特徴とする請求項１２に記載の電気化学セル（１０２，２０２，…）。
【請求項１４】
前記継ぎ目部分は、前記平面部分（１１０，２１０，３１０，６１０）が設けられている平面Ｅから突出していることを特徴とする請求項１２または１３に記載の電気化学セル（１０２，２０２，…）。
【請求項１５】
前記継ぎ目部分（３０７）の部分は、接合部分（３０８）となっていることを特徴とする請求項１２〜１４のいずれか一項に記載の電気化学セル（１０２，２０２，…）。
【請求項１６】
前記接合部分（２０８，４０８，６０８）は、前記継ぎ目部分（２０７，４０７，６０７）の少なくとも一つの部分に隣接して設けられていることを特徴とする請求項１２〜１５のいずれか一項に記載の電気化学セル（１０２，２０２，…）。
【請求項１７】
二つの接合部分（２０８，６０８）が設けられており、当該接合部分は特に前記成型部材（２０４，６０４）の対向する側、特に周囲に設けられた前記継ぎ目部分（２０７，６０７）の対向する部分に設けられていることを特徴とする請求項１２〜１６のいずれか一項に記載の電気化学セル（１０２，２０２，…）。
【請求項１８】
少なくとも一つの接合部分（２０８，６０８）は、前記平面部分（２１０，６１０）から離れた前記継ぎ目部分（２０７，６０７）の側に設けられていることを特徴とする請求項１２〜１７のいずれか一項に記載の電気化学セル（１０２，２０２，…）。
【請求項１９】
少なくとも一つの接合部分（２０８）は、前記平面Ｅに向かって前記継ぎ目部分（２０７）から突出していることを特徴とする請求項１２〜１８のいずれか一項に記載の電気化学セル（１０２，２０２，…）。
【請求項２０】
少なくとも一つの接合部分（６０８）は、前記平面Ｅから離れる方向において前記継ぎ目部分（６０７）から突出していることを特徴とする請求項１２〜１９のいずれか一項に記載の電気化学セル（１０２，２０２，…）。
【請求項２１】
前記接合部分（１０８，２０８，４０８）は、特に前記平面Ｅに対して平行に、特に前記平面Ｅ内に設けられている接合面（１１３，２１３，４１３）を含むことを特徴とする請求項１２〜２０のいずれか一項に記載の電気化学セル（１０２，２０２，…）。
【請求項２２】
二つの成型部材（１０４，２０４，…）が当該成型部材の継ぎ目部分（１０７，２０７，…）において互いに接合されており、特に材料接続的に互いに接合されていることを特徴とする請求項１２〜２１のいずれか一項に記載の電気化学セル（１０２，２０２，…）。
【請求項２３】
前記ジャケット（３０３）は、少なくとも一つの熱伝導プレート（３０５）を含んでおり、少なくとも一つの成型部材（３０４）は継ぎ目部分（３０７）によって当該熱伝導プレート（３０５）に取り付けられていることを特徴とする請求項１２〜２２のいずれか一項に記載の電気化学セル（１０２，２０２，…）。
【請求項２４】
第一の電気化学セル（１０２，２０２，…）と、第二の電気化学セル（１０２，２０２，…）と、を含むバッテリー構造体（１０１，２０１，…）であって、
当該第一の電気化学セルの少なくとも一つのジャケット部分（１０３，２０３，…）が、前記第二の電気化学セルの少なくとも一つのジャケット部分（１０３，２０３，…）と材料接続的に接合されており、
前記ジャケット部分（１０３，２０３，…）のうちの少なくとも一つは、シール可能な材料、特に熱可塑性プラスチックから成る層を有する積層型パッケージフィルムから製造されており、前記ジャケット部分（１０４，２０４，…）同士の前記材料接続的な接合は、シール可能な材料からなる前記層の少なくとも部分によって実現されていることを特徴とするバッテリー構造体（１０１，２０１，…）。
【請求項２５】
少なくとも二つのジャケット部分（１０３，２０３，…）同士の前記材料接続的な接合は専ら、前記ジャケット部分（１０３，２０３，…）のうちの一つまたは複数の、シール可能な材料からなる前記層によって実現されていることを特徴とする請求項２４に記載のバッテリー構造体（１０１，２０１，…）。
【請求項２６】
前記第一の電気化学セル（４０２，５０２）は少なくとも部分的に周囲に設けられている第一のフレーム（４１２’）、特に完全に周囲に設けられている第一のフレーム（４１２’）を含んでおり、前記第二の電気化学セル（４０２，５０２）は少なくとも部分的に周囲に設けられている第二のフレーム（４１２”）、特に完全に周囲に設けられている第二のフレーム（４１２”）を含んでおり、前記第一のフレーム（４１２’）は前記第二のフレーム（４１２”）と材料接続的に接合されていることを特徴とする請求項２４に記載のバッテリー構造体（１０１，２０１，…）。
【請求項２７】
隣接する電気化学セル（４０２）の前記フレーム（４１２）は、異なる径方向延伸を有する部分を有していることを特徴とする請求項２６に記載のバッテリー構造体（１０１，２０１，…）。
【請求項２８】
前記第一の電気化学セル（４０２'）の前記第一のフレーム（４１２’）は第一の径方向延伸（Ｒ1）を有しており、当該第一の電気化学セル（４０２'）と当接している前記第二の電気化学セル（４０２”）の前記第二のフレーム（４１２”）は第二の径方向延伸（Ｒ2）を有しており、前記第一の径方向延伸（Ｒ1）が前記第二の径方向延伸（Ｒ2）よりも大きいことを特徴とする請求項２４〜２７のいずれか一項に記載のバッテリー構造体（１０１，２０１，…）。
【請求項２９】
請求項１２〜２３のいずれか一項に記載の前記電気化学セルの少なくとも一つが形成されていることを特徴とする請求項２４〜２８のいずれか一項に記載のバッテリー構造体（１０１，２０１，…）。
【請求項３０】
請求項１〜１１のいずれか一項に記載の方法によって製造されたバッテリー構造体（１０１，２０１，…）。
【請求項３１】
隣接する電気化学セル（２０３）の継ぎ目部分（２０７）は、隣接する電気化学セル（２０３）の接合部分（２０８）とともに、ハニカム接合構造を形成する請求項２４〜３０のいずれか一項に記載のバッテリー構造体（２０１）。